(57)【特許請求の範囲】
【請求項１】
投射用ランプと、投射用ランプを駆動制御するランプバラスト回路と、入力映像信号を調整する映像信号調整回路と、映像信号調整回路によって得られた映像信号を表示デバイスパネル用映像に調整するガンマ調整回路と、ガンマ調整回路によって得られた映像信号を表示デバイスパネルに書き込むパネル駆動回路と、前記各回路に電源を供給する電源回路とを備えた投射型映像表示装置において、
投射型映像表示装置を起動させる電源ボタンが押されると、電源回路を起動させると共に、ランプバラスト回路に対してランプ初期電圧設定を行い、さらに、パネル駆動回路に対して、パネル駆動設定を行うと共に、黒映像を表示するための黒表示設定を行い、
投射用ランプが点灯してから投射用ランプの明るさが、ランプ点灯直後から徐々に明るさが増した後、明るさがほぼ一定値に飽和するまでの間であって、投射用ランプ点灯直後のランプ点灯ノイズの発生期間を除いた期間内に、映像信号調整回路及びガンマ調整回路の初期設定処理を行うと共に、ガンマ調整回路の初期設定の手順の最後において前記黒表示設定を解除させることを特徴とする投射型映像表示装置。
【請求項２】
前記投射用ランプが点灯したことが、投射用ランプの電極間電圧に基づいて検出されることを特徴とする請求項１に記載の投射型映像表示装置。
【発明の詳細な説明】
【技術分野】
【０００１】
この発明は、液晶プロジェクタ、ＤＬＰプロジェクタ等の投射型映像表示装置に関する。
【背景技術】
【０００２】
液晶プロジェクタのようにランプを光源として使用している投射型映像表示装置では、ランプを点灯してからランプの明るさが映像を投影するのに十分な明るさに到達するまでの時間が長いという欠点がある。また、ランプ点灯時に発生するノイズの影響を避けるため、映像調整回路やパネル調整回路への初期設定が完了してから、ランプを点灯させることが一般的であり、電源オンからランプの明るさが映像を投影するのに十分な明るさに到達するまでの時間がより長くかかっていた。
【０００３】
従来においては、電源オンからランプの明るさが映像を投影するのに十分な明るさに到達するまでの間、映像をマスクしたり、映像を投影する代わりに起動ロゴを表示したり、カウントダウン表示を投影したりすることにより、その間、ユーザが退屈しないような工夫がなされている。しかしながら、このような方法では、電源オンから映像が表示されるまでの時間を短縮することはできない。
【特許文献１】特開昭６３−２１２９９１号公報
【発明の開示】
【発明が解決しようとする課題】
【０００４】
この発明は、電源オンからランプの明るさが十分な明るさに到達するまでの時間の短縮化が図れる投射型映像表示装置を提供することを目的とする。
【課題を解決するための手段】
【０００５】
請求項１に記載の発明は、投射用ランプと、投射用ランプを駆動制御するランプバラスト回路と、入力映像信号を調整する映像信号調整回路と、映像信号調整回路によって得られた映像信号を表示デバイスパネル用映像に調整するガンマ調整回路と、ガンマ調整回路によって得られた映像信号を表示デバイスパネルに書き込むパネル駆動回路と、前記各回路に電源を供給する電源回路とを備えた投射型映像表示装置において、
投射型映像表示装置を起動させる電源ボタンが押されると、電源回路を起動させると共に、ランプバラスト回路に対してランプ初期電圧設定を行い、さらに、パネル駆動回路に対して、パネル駆動設定を行うと共に、黒映像を表示するための黒表示設定を行い、
投射用ランプが点灯してから投射用ランプの明るさが、ランプ点灯直後から徐々に明るさが増した後、明るさがほぼ一定値に飽和するまでの間であって、投射用ランプ点灯直後のランプ点灯ノイズの発生期間を除いた期間内に、映像信号調整回路及びガンマ調整回路の初期設定処理を行うと共に、ガンマ調整回路の初期設定の手順の最後において前記黒表示設定を解除させることを特徴とする。
【０００６】
請求項１に記載の発明において、前記投射用ランプが点灯したことが、投射用ランプの電極間電圧に基づいて検出されるように構成されてもよい。
【発明の効果】
【０００９】
請求項１に記載の発明によれば、電源オンからランプの明るさが十分な明るさに到達するまでの時間の短縮化を図ることができると共に、投射用ランプが点灯してからガンマ調整回路の初期設定処理が終了するまでの間は、投射用ランプの明るさが映像を投影するのに充分な明るさに到達していないので、その間において見ずらい映像が表示されるのを防止できる。
【００１０】
請求項２に記載の発明によれば、ランプが点灯したことを検出するためのセンサが不要となる。
【発明を実施するための最良の形態】
【００１２】
以下、図面を参照して、この発明を液晶プロジェクタに適用した場合の実施例について説明する。
【実施例１】
【００１３】
〔１〕液晶プロジェクタの構成についての説明
図１は、液晶プロジェクタの構成を示している。
【００１４】
液晶プロジェクタ１は、キー入力を検出するためのキー入力検出回路２、各回路に電源を供給する電源回路３、光源となるランプ（投射用ランプ）５、ランプ５を駆動制御するためのランプバラスト回路４、表示デバイスパネル９、入力映像信号を最適な映像に調整する映像信号調整回路６、映像信号調整回路６によって得られた映像信号を表示デバイスパネル９に適した映像に調整するパネル調整回路７、パネル調整回路７によって得られた映像信号を表示デバイスパネル９に書き込むためのパネル駆動回路８、光学レンズ１０および各回路を制御する制御マイコン２０を備えている。ランプ５からの光が表示デバイスパネル９および光学レンズ１０を通過することにより、表示デバイスパネル９に書き込まれた映像が投影スクリーン１１上に投影される。
【００１５】
映像信号調整回路６はＡ／Ｄ変換回路、ビデオ復調回路、画質調整回路等を含んでいる。パネル調整回路７は、ガンマ調整回路、色むら調整回路、画質調整回路等を含んでいる。映像信号調整回路６およびパネル調整回路７によって映像信号処理回路が構成されている。
【００１６】
制御マイコン２０は、電源回路３の起動を制御したり、ランプ５の点灯・消灯を制御したり、映像信号調整回路６、パネル調整回路７およびパネル駆動回路８の設定を制御したりする。
【００１７】
図２は、ランプバラスト回路４の構成を示している。
【００１８】
ランプバラスト回路４は、よく知られているように、ランプ電圧を制御するためのランプ電圧制御回路４１、ランプを点灯させるためのイグニッション回路（点灯回路）４２および制御マイコン４３を備えている。
【００１９】
制御マイコン４３は、制御マイコン２０に接続されており、両マイコン４３、２０間でＵＡＲＴ通信により通信が行なわれる。制御マイコン４３は、ランプ電圧制御回路４１に対してランプの点灯、消灯および調光制御を行なう。制御マイコン４３には、ランプ電極間の電圧（放電電圧）が、イグニッション回路（点灯回路）４２およびランプ電圧制御回路４１を介して送られる。
【００２０】
〔２〕ランプ起動手順の説明
【００２１】
図３は、本実施例によるランプ起動手順およびランプの明るさの変化を示している。図３において、横軸は時間を縦軸はランプの明るさを示している。
【００２２】
ユーザによってPowerOn ボタンが押下げられ、そのことがキー入力検出回路２によって検出されると、制御マイコン２０は液晶プロジェクタの起動制御を開始する。つまり、制御マイコン２０は、まず、各回路に電源を供給させるために、電源回路３を起動する。
【００２３】
次に、ランプを点灯させるための最小限の設定を行なう。具体的には、ランプ初期電圧の設定をランプバラスト４に対して行なうとともに、パネル駆動回路８に対してパネル駆動設定を行なう。そして、ランプを点灯させるための制御を行なう。これにより、ランプが点灯する。
【００２４】
ランプが点灯したことが検出されると、点灯ノイズが発生している期間を避けるために、一定時間が経過した後に、映像信号調整回路６の初期設定を行なう。具体的には、映像信号調整回路６内のＡ／Ｄ変換回路、ビデオ復調回路、画質調整回路の初期設定を行なう。なお、ランプが点灯したことは、ランプバラスト回路４内の制御マイコン４３から制御マイコン２０に送られてくるランプ電極間の電圧が所定値になったか否かに基づいて検出される。この後、パネル調整回路７の初期設定を行なう。具体的には、パネル調整回路７内のガンマ調整回路、色むら調整回路、画質調整回路の初期設定を行なう。そして、ランプの明るさが映像を投影するのに十分な明るさに到達すると、映像投影を開始する。
【００２５】
なお、パネル駆動回路８に対するパネル駆動設定時において、黒映像を投影するための黒表示設定を行う。そして、パネル調整回路７の初期設定の手順の最後において、黒表示設定を解除させる。この結果、ランプが点灯してからパネル調整回路７の初期設定が終了するまでは映像がマスクされ、パネル調整回路７の初期設定が終了すると、通常の映像投影が開始される。
【００２６】
パネル駆動回路８に対するパネル駆動設定時において、黒映像を投影するための黒表示設定を行なっているので、それより前段の回路（映像信号調整回路６およびパネル調整回路７）の影響を受けることなく、確実に黒映像を投影することができる。
【００２７】
図４は、従来例によるランプ起動手順およびランプの明るさの変化を示している。
【００２８】
従来においては、ユーザによってPowerOn ボタンが押下げられると、電源回路３が起動せしめられる。そして、ランプ点灯ノイズを避けるために、ランプ点灯前に映像信号調整回路６の初期設定が行なわれるとともにパネル調整回路７の初期設定が行なわれる。
【００２９】
この後、ランプ初期電圧の設定が行なわれるとともに、パネル駆動回路８に対するパネル駆動設定が行なわれる。そして、ランプを点灯させるための制御が行なわれる。これにより、ランプが点灯する。ランプが点灯してからランプの明るさが映像を投影するのに十分な明るさに到達すると、映像投影が開始される。なお、ランプが点灯してからランプの明るさが映像を投影するのに十分な明るさに到達するまでは、映像がマスクされる。
【００３０】
本実施例と従来例とを比較すると、本実施例では、電源回路が起動されてからランプが点灯されるまでの時間が短くなっている。これは、従来例では、ランプ点灯前に映像信号調整回路６およびパネル調整回路７の初期設定が行なわれるのに対し、本実施例では、ランプ点灯前に映像信号調整回路６およびパネル調整回路７の初期設定が行なわれていないからである。
【００３１】
本実施例では、映像信号調整回路６およびパネル調整回路７の初期設定は、ランプが点灯されてから、ランプの明るさが映像を投影するのに十分な明るさに到達するまでの間の期間であって、ランプ点灯直後のランプノイズ発生期間を除いた期間において行なわれている。つまり、本実施例では、ランプが点灯されてから、ランプの明るさが映像を投影するのに十分な明るさに到達するまでの期間を、有効に使用することにより、電源回路が起動されてからランプが点灯されるまでの時間、言い換えればPowerOn ボタンが押下られてからランプが点灯されるまでの時間を短縮している。これにより、PowerOn ボタンが押下られてから（電源オンから）、ランプの明るさが十分な明るさに到達するまでの時間（映像が投影されるまでの時間）が短くなる。
【図面の簡単な説明】
【００３２】
【図１】液晶プロジェクタの構成を示すブロック図である。
【図２】ランプバラスト回路４の構成を示すブロック図である。
【図３】本実施例によるランプ起動手順およびランプの明るさの変化を示すタイムチャートである。
【図４】従来例によるランプ起動手順およびランプの明るさの変化を示すタイムチャートである。
【符号の説明】
【００３３】
１  液晶プロジェクタ
２  キー入力検出回路
３  電源回路
５  ランプ
４  ランプバラスト回路
６  映像信号調整回路
７  パネル調整回路
８  パネル駆動回路
９  表示デバイスパネル
２０  制御マイコン
【図１】
0004619310.tif 000002
【図２】
0004619310.tif 000003
【図３】
0004619310.tif 000004
【図４】
0004619310.tif 000005